(57)【特許請求の範囲】
【請求項１】
相互接続される伝送装置のインターフェ−ス間で、送信情報に該送信情報を送信している送信部位情報を付加して送信し、
受信側で受信した該送信部位情報と、該送信部位情報を受信する受信部位の情報を記憶保存し、
該伝送装置の外部に接続した処理装置から要求される装置情報として、記憶保存されている該送信部位情報と受信部位情報を組合わせて出力することを特徴としたネットワーク構成データの生成方法。
【請求項２】
請求項１において、
前記送信部位情報は、前記送信情報を送信している、伝送装置の送信インタフェース部を示す情報であり、前記受信部位情報は、前記送信情報を受信している、伝送装置の受信インタフェース部を示す情報であることを特徴とするネットワーク構成データの生成方法。
【請求項３】
請求項１において、
前記送信情報は、更に該送信情報を送信する伝送装置の設置個所情報を含むことを特徴とするネットワーク構成データの生成方法。
【請求項４】
請求項１において、
前記送信情報は、オーバヘッド部に載せて送られることを特徴とするネットワーク構成データの生成方法。
【請求項５】
請求項１において、
前記記憶保存されている送信部位情報と受信部位情報を組合わせて出力される情報を、装置情報として、複数の伝送装置に共通の処理装置で受信することを特徴とするネットワーク構成データの生成方法。
【請求項６】
相互接続される伝送装置のそれぞれに、送信情報に該送信情報を送信している送信部位情報を付加して送信する手段と、
受信した該送信部位情報と、該送信部位情報を受信し、記憶保存する手段と、該記憶保存する手段に記憶保存されている該送信部位情報と受信部位情報を組合わせて装置情報として出力する装置情報出力手段と、
当該伝送装置の外部に接続され、要求された装置情報を該装置情報出力手段から受信する処理装置を有することを特徴としたネットワークシステム。
【請求項７】
請求項６において、
更に、複数の伝送装置に接続され、該複数の伝送装置からの装置情報を収集し、前記処理装置に送る収集装置を有することを特徴とするネットワークシステム。
【請求項８】
請求項６において、
前記送信情報は、更に該送信情報を送信する伝送装置の設置個所情報を含むことを特徴とするネットワークシステム。
【請求項９】
請求項６において、
前記送信情報は、オーバヘッド部に載せて送られることを特徴とするネットワークシステム。
【請求項１０】
請求項６において、
さらに、複数の伝送装置に共通の収集装置を有し、該収集装置で、前記記憶保存されている送信部位情報と受信部位情報を組合わせて出力される情報を、受信収集して、前記処理装置に装置情報として送ることを特徴とするネットワークシステム。
【請求項１１】
請求項６において、
前記送信部位情報を送信する機能を有しない伝送装置と接続される伝送装置は、該送信部位情報を送信する機能を有しない伝送装置との接続関係を設定する第１の機能部を有することを特徴とするネットワークシステム。
【請求項１２】
請求項１１において、
前記接続関係を設定する機能部に、外部インタフェースから、前記送信部位情報を送信する機能を有しない伝送装置の送信部位情報が設定されることを特徴とするネットワークシステム。
【請求項１３】
請求項１１において、
さらに、前記送信部位情報を受信する機能を有しない伝送装置と接続される伝送装置は、送信部位情報の送信機能を停止し、個々のインタフェース単位の機能停止に連動して、前記第１の機能部に設定した送信部位情報を接続関係情報として用い、
該送信部位情報を受信する機能を有しない伝送装置との接続関係を維持することを特徴とするネットワークシステム。
【請求項１４】
請求項６において、
前記伝送装置は、通信異常を検知した時、前記記憶保存している送信部位情報を無効情報に置換することを特徴とするネットワークシステム。
【請求項１５】
請求項１４において、
要求された装置情報を前記装置情報出力手段から処理装置に送る際、送信位置情報として、前記置換された無効情報を通知することを特徴とするネットワークシステム。
【発明の詳細な説明】
【０００１】
【発明の属する技術分野】
本発明は、ネットワーク構成に関するデータを生成する方法に関する。特に、ネットワーク構成に関するデータを自動的に生成する方法及び、この方法により生成されるデータを利用するネットワークシステムに関する。
【０００２】
【従来の技術】
従来、ネットワーク構成に関するデータを構築する際は、先ずネットワークを構成する伝送装置の接続関係を基に、データベースシステムに登録する情報を生成する。ついで、接続関係の検証やデータの検証を行って、ネットワーク構成に関するデータを登録することが行われていた。
【０００３】
かかる従来の方法による場合は、いくつかの部分で人手に頼ることになる。これがネットワーク構成に関するデータに誤りの混入する要因になっている。このために、登録データの正常性を検証することが必要である。この検証のために、専門技術を必要とするプログラムを作成することが不可欠である。
【０００４】
一方、通信網は、伝送装置の増設や、伝送装置の組み替えにより、日々その構成が変動している。このために、これまではまず物理的なネットワークの構成に整合したデータベースが作成される。ついで、新規回線のための収容設計や回線の診断、障害対応等の作業において対応すべき位置情報を得るために、この作成されたデータベースが利用されている。したがって、常にかかるデータベースを更新していくことが必要である。
【０００５】
【発明が解決しようとする課題】
かかる点から、本発明の目的は、ネットワーク構成に関するデータの生成方法において、人手によるデータ登録を回避し、リアルタイムに正しいネットワーク構成データを収集し、登録を可能とする。更に生成されたネットワーク構成に従い構成されるネットワークシステムを提供することにある。
【０００６】
また、本発明の目的は、伝送装置において、接続状態の検証を行い、登録データの検証を不要とするネットワーク構成に関するデータの生成方法及び、生成されたこれを用いたネットワーク構成に従うネットワークシステムを提供することにある。
【０００７】
さらに、本発明の目的は、人手によるデータ登録の回避により、設計作業、検証作業を不要とするネットワーク構成に関するデータの生成方法及び、生成されたネットワーク構成に従うネットワークシステムを提供することにある。
【０００８】
【課題を解決するための手段】
したがって、上記の本発明の課題を達成するネットワーク構成に関するデータの生成方法及び、生成されたネットワーク構成は、相互接続される伝送装置のインターフェス間で、送信情報に送信情報を送信している送信部位情報を付加して送信し、受信側で受信した送信部位情報と、送信部位情報を受信する受信部位の情報を記憶保存し、伝送装置の外部に接続した処理装置から要求される装置情報として、記憶保存されている該送信部位情報と受信部位情報を組合わせて出力することを特徴とする。
【０００９】
さらに、一態様として、前記において、前記送信部位情報は、前記送信情報を送信している、伝送装置の送信インタフェース部を示す情報であり、前記受信部位情報は、前記送信情報を受信している、伝送装置の受信インタフェース部を示す情報であることを特徴とする。
【００１０】
また、前記送信情報は、更に送信情報を送信する伝送装置の設置個所情報を含む。
【００１１】
さらに、具体的態様として、前記送信情報は、オーバヘッド部に載せて送られる。
【００１２】
また、前記記憶保存されている送信部位情報と受信部位情報を組合わせて出力される情報を、装置情報として、複数の伝送装置に共通の処理装置で受信する。
【００１３】
また、別の態様として、前記送信部位情報を送信する機能を有しない伝送装置と接続される伝送装置は、該送信部位情報を送信する機能を有しない伝送装置との接続関係を設定する第１の機能を有し、あるいは、前記送信部位情報を受信する機能を有しない伝送装置と接続される伝送装置は、送信部位情報の送信機能を停止し、個々のインタフェース単位の機能停止に連動して、前記に設定した送信部位情報を接続関係情報として用い、送信部位情報を受信する機能を有しない伝送装置との接続関係を維持する。
【００１４】
さらに一態様として、前記伝送装置は、通信異常を検知した時、前記記憶保存している送信部位情報を無効情報に置換する。また、要求された装置情報を前記装置情報出力手段から処理装置に送る際、送信位置情報として、前記置換された無効情報を通知する。
【００１５】
【発明の実施の形態】
以下本発明の実施の形態を説明する。なお、図において、同一又は、類似のものには同一の参照番号または、参照記号を付して説明する。
【００１６】
図６は、一般的なネットワークシステムの一構成を示す図である。中継ノードＡ〜Ｆが伝送路Ｌで接続されている。中継ノードＡ〜Ｆのそれぞれに伝送装置が配置される。伝送装置は、主としてデジタル信号を処理するデジタル伝送装置である。図７、図８に示すように、デジタル伝送装置は、大別して多重／分離装置（図７）と、パスおよび回線の編集を行う装置（以下回線編集装置という）（図８）に分類できる。
【００１７】
図７に示す多重／分離装置において、低速インタフェース部Ｂ０１を通して入力される複数の低速通信信号ＳＬＩは、多重化部Ｂ０２で、１つの高速通信信号ＳＨＯに時分割多重化される。多重化された高速通信信号ＳＨＯは、高速インタフェース部Ｂ０３を通して出力される。例えば、６Ｍｂｐｓ  の７つの低速信号が、５０Ｍｂｐｓの１つの高速信号に時分割多重化される。
【００１８】
一方、反対方向に流れる高速通信信号ＳＨ１は、高速インタフェース部Ｂ１３に入力し、多重分離部Ｂ１２で複数の低速通信信号ＳＬＯに多重分離される。ついで多重分離された複数の低速信号は、対応する低速インタフェース部Ｂ１１を通して出力される。例えば、１５０Ｍｂｐｓ  の１つの高速通信信号が、５０Ｍｂｐｓ  の３つの低速通信信号に多重分離される。
【００１９】
一方、デジタル伝送装置である、図８に示す回線編集装置は、時間スイッチ及び空間スイッチを有するスイッチ部Ｃ０２と、スイッチ部Ｃ０２の両入力側に配置される、インタフェース部Ｃ０１，Ｃ０３を備える。
【００２０】
かかる構成により、回線編集装置は、インタフェース部Ｃ０１または、Ｃ０３から入力する多重化信号をスイッチ部Ｃ０２で、組み替え、インタフェース部Ｃ０３または、Ｃ０１に出力する。
【００２１】
図９は、デジタル伝送装置を接続するための信号フォーマット例を示す図である。かかる信号フォーマットで伝送装置間を接続する信号を伝送する。信号フォーマットのＤ１は、信号全体の同期情報、伝送誤りのチェック情報、品質評価用情報、補助情報の伝送をするオーバヘッド（ＯＨ）部である。Ｄ２は、コンテナ部であり、通信サービス用の情報を伝送する部分である。
【００２２】
図１０、図１１は、装置の構成を識別するための情報について説明する図である。一つの局内に配置される伝送装置には、先に図７、図８に示したように、多重／分離装置（図７）と、回線編集装置（図８）に分類される装置の種別がある。また、各装置毎に、装置番号が１つづつ付られている。
【００２３】
図１０では、それぞれ装置の種別Ａ，Ｂ，Ｃを有する装置が、ＡＡＢＡＡＣＣＣと並んで配置されてい。更に、それぞれ装置には装置番号０１〜０８が付けられている。さらに、一つの装置番号の付けられた装置の構成例が図１１に示される。一つの装置番号ａａの付けられた装置には、ユニット番号ｕ１，ｕ２，ｕ３の複数のユニットを有する。そして各ユニットには、例えば現用、予備のシステムＳ１，Ｓ２を有する。さらにユニットには、それぞれインタフェース番号ＩＦが付されている複数パネルが挿入されている。
【００２４】
一方、上記伝送装置には、伝送装置の構成に関する情報、装置内の設定情報を記憶する機能を有する。図１２に示されるように、伝送装置１には、制御用付加装置２を通して、処理装置３に接続される。したがって、付加装置２は、処理装置３からの要求に基づき、要求に対応するデータを伝送装置１から読み出し、処理装置３に記憶する。
【００２５】
また、付加装置２は、伝送装置１の設定を変更する制御を行い、その制御の結果を処理装置３に通知する機能を有する。
【００２６】
かかる一般的なネットワークの構成において、伝送装置１の装置情報を利用
する本発明に従う実施の形態例が図１に示される。すなわち、図１の実施の形態では、２つの設置個所、すなわちノードＸＡ，ＹＡのそれぞれに、複数の伝送装置１がある。且つ、装置情報が対応する共通の付加装置２を通してシステムに共通の収集装置４で収集された後に、処理装置３に送られるように構成されている。
【００２７】
したがって、図１の実施の形態では、１つの処理装置３で、複数のノードにある、複数の伝送装置１の装置情報を収集することができる。
【００２８】
図２は、伝送装置１の実施例構成を示す。なお、図２では伝送装置１と処理装置３とが、直接に接続されているように図示簡略されている。しかし、これは一般的な構成を含めて示すためである。例えば、図１の実施の形態に対して図２の構成を適用する場合には、設置個所にある付加装置２及び、共通の収集装置４が更に設けられる。
【００２９】
図２の動作を説明すると、該当の伝送装置１についての設置個所情報は、外部インタフェース１０を通して外部からの制御又は、内部設定機能部１１の制御により装置情報記憶部１２の設置個所記憶領域１２０に記録される。
【００３０】
装置間を接続する図９の信号のフォーマットのオーバヘッド（ＯＨ）部Ｄ１に含まれる、図１０及び図１１により説明した、送信部位情報は、装置情報記憶部１２の送信部位情報記憶領域１２１に記録されている。その送信部位情報は、設置個所記憶領域１２０に記憶されている設置個所情報と結合し、更に、通信用の同期コード、フレームチェックコード、終了コードが付与され、図３に示すような送信情報に編集される。
【００３１】
図３において、編集された送信情報の１つの通信フレームに、それぞれ１ビットの１／０情報で表される、同期情報、設置個所、送信部位、フレームチェック及び、終了ビットがそれらの順に配置される。
【００３２】
この通信フレームを、図２の伝送装置間インタフェース部（送信部）１３で、送信タイミングに合わせて、受け取る。送信フレームはオーバヘッド（ＯＨ）部Ｄ１の指定された位置に１ビット又は、１バイトに分割して挿入され、対向する伝送装置１の伝送路装置間インタフェース部（受信部）１４に送出される。なお、コンテナ部Ｄ２には、通信サービス情報が挿入される。
【００３３】
ここで、ディジタル伝送装置間で情報を送信及び、受信するための関係は、１：１の構成又は、１：Ｎの構成がある。その構成の組み合わせや、接続できる伝送装置の数（Ｎ）は、上記インタフェース部１３，１４の設定条件によって決定される。
【００３４】
対向する伝送装置１の伝送路装置間インタフェース部（受信部）１４では、受信した信号のオーバヘッド（ＯＨ）部Ｄ１の指定部位を連続監視し、同期コードを検出する。その後、フレームチェックビットまで連続して読み込み、フレーム検査を行う。この検査において、正常データであれば、装置情報記憶部１２の受信部位情報記憶領域１２２にそのデータを記録する。
【００３５】
フレーム検査の結果、異常を検出した時、あるいは同期コードを一定時間受信できなかった時、受信部１４で通信異常を検出する。したがって、受信部位情報の記録を無効情報、例えばＦＦＦＦコードに置換し、伝送装置の未接続を示す情報が記録される。
【００３６】
ついで、相手伝送装置から受信し、受信部位情報記憶領域１２２に記憶された送信側の伝送装置の受信部位情報内容Ｉと、自装置の送信部位情報記憶領域１２１の送信部位情報記憶内容ＩＩを、図４に示すようなフォーマットで編集する。そして編集された情報を送信／受信部位情報記憶領域１２３に記録し、保存する。
【００３７】
したがって、相手側伝送装置１から装置情報の要求を受けた時は、送信／受信部位情報記憶領域１２３に記録保存されている内容を、外部インタフェース１０、付加装置４及び、通信網Ｌを通して伝送する。
【００３８】
ここで、本発明の機能を有する伝送装置１と、その機能を有しない伝送装置との間で接続を行う場合は、外部インタフェース部１０又は、内部設定機能部１１により、情報切替部１２５において、受信部１４が接続されている送信部位の情報を送信部位情報記憶領域１２４からの設定情報に置き換えて、これを有効にする。
【００３９】
情報切替部１２５において置き換え設定した時は、送信部１３の停止選択部１３０を制御し、送信部位情報記憶領域１２１の内容である送信部位情報の送信を停止する。
【００４０】
また、受信部１４で、通信異常を検出した時は、送信／受信部位情報記憶領域１２３の受信部位情報を無効情報に置換する。通信異常が復旧した時には、送信部位情報記憶領域１２４の設定データを、送信／受信部位情報記憶領域１２３の受信部位情報に設定する。
【００４１】
通信ネットワークを本発明に従うディジタル伝送装置で構成し、設置個所毎に伝送装置１の装置情報を読み出す付加装置２を設置する。さらに、付加装置２を通信回線を介して、管理部門に設置した処理装置３に接続する。処理装置３から個々の伝送装置の装置惰報を収集して、ネットワーク構成情報の伝送装置間の接続情報として利用する。
【００４２】
また、伝送装置１の装置情報を外部インタフェース１０から読み出しできる機能を有する伝送装置１に本発明を追加して、上記実施例と同じ構成とすることができる。
【００４３】
次に図５は、図１における設置個所ＸＡとＹＡの関係を有し、送信部位情報と装置情報の読み出しを行う場合を説明するための図である。
【００４４】
設置個所ＸＡにおいて、複数の伝送装置Ｂｎ１〜Ｂｎｎの高速側インタフェースＢｎＨＦと、上位伝送装置Ａｎｎの低速側インタフェースＡｎＬＦが接続されている。
【００４５】
一方、設置個所ＹＡにおいて、複数の伝送装置Ｂｍ１〜Ｂｍｎの高速側インタフェースＢｍＨＦと、上位伝送装置Ａｍｍの低速側インタフェースＡｍＬＦが接続されている。さらに、設置個所ＸＡの上位伝送装置Ａｎｎと、設置個所ＹＡの上位伝送装置Ａｍｍとは、高速側インタフェースＡｎＨＦにより伝送路Ｌを通して接続されている。
【００４６】
かかる図５の関係において、本発明に従い、実施例として、設置個所ＸＡの伝送装置Ａｎｎの高速側インタフェースＡｎＨＦで送信される送信部位情報の構成は、次のようである。
【００４７】
設置個所（ＸＡ）＋装置種別（ＮＮＮＮ）＋装置番号（Ａｎｎ）＋ユニット番号（９９）＋ＳＹＳ番号（９９）＋ＩＦ番号（９９）＋ＩＦ種別（ＨＦ）
なお、上記で（ＮＮＮＮ）は日本語名称や、英数字でコード化された情報を示し、（９９）は英数字で表現される数値を示す。以下についても同様である。
【００４８】
これに対し、設置個所ＸＡの伝送装置Ａｎｎの低速側インタフェースＡｎＬＦで送信される送信部位情報の構成は、次のようである。
設置個所（ＸＡ）＋装置種別（ＮＮＮＮ）＋装置番号（Ａｎｎ）＋ユニット番号（９９）＋ＳＹＳ番号（９９）＋ＩＦ番号（９９）＋ＩＦ種別（ＬＦ）
同様に、設置個所ＸＡの伝送装置Ｂｎ１の高速側インタフェースＢｎＨＦで送信される送信部位情報の構成は、次のようである。
設置個所（ＸＡ）＋装置種別（ＮＮＮＮ）＋装置番号（Ｂｎ１）＋ユニット番号（９９）＋ＳＹＳ番号（９９）＋ＩＦ番号（９９）＋ＩＦ種別（ＨＦ）
また、設置個所ＹＡの伝送装置Ａｍｍの高速側インタフェースＡｍＨＦで送信される送信部位情報の構成は、次のようである。
設置個所（ＹＡ）＋装置種別（ＮＮＮＮ）＋装置番号（Ａｍｍ）＋ユニット番号（９９）＋ＳＹＳ番号（９９）＋ＩＦ番号（９９）＋ＩＦ種別（ＨＦ）
一方、実施例として、設置個所ＸＡの伝送装置Ａｎｎの高速側インタフェースＡｎＨＦの装置情報は、図４に示す、送信部位情報（受信した情報）Ｉと自装置の位置情報ＩＩで構成される。
【００４９】
この時の送信部位情報（受信した情報）Ｉは、次のように構成される。
設置個所（ＹＡ）＋装置種別（ＮＮＮＮ）＋装置番号（Ａｍｍ）＋ユニット番号（９９）＋ＳＹＳ番号（９９）＋ＩＦ番号（９９）＋ＩＦ種別（ＨＦ）
さらに、自装置の位置情報ＩＩは、次のように構成される。
設置個所（ＸＡ）＋装置種別（ＮＮＮＮ）＋装置番号（Ａｎｎ）＋ユニット番号（９９）＋ＳＹＳ番号（９９）＋ＩＦ番号（９９）＋ＩＦ種別（ＨＦ）
同様にして、設置個所ＹＡの伝送装置Ａｍｍの高速側インタフェースＡｍＨＦの装置情報において、送信部位情報（受信した情報）Ｉは、次のように構成される。
設置個所（ＸＡ）＋装置種別（ＮＮＮＮ）＋装置番号（Ａｎｎ）＋ユニット番号（９９）＋ＳＹＳ番号（９９）＋ＩＦ番号（９９）＋ＩＦ種別（ＨＦ）
さらに、自装置の位置情報ＩＩは、次のように構成される。
設置個所（ＹＡ）＋装置種別（ＮＮＮＮ）＋装置番号（Ａｍｍ）＋ユニット番号（９９）＋ＳＹＳ番号（９９）＋ＩＦ番号（９９）＋ＩＦ種別（ＨＦ）
また、設置個所ＸＡの伝送装置Ｂｎ１の高速側インタフェースＢｎＨＦの装置情報において、送信部位情報（受信した情報）Ｉは、次のように構成される。
設置個所（ＸＡ）＋装置種別（ＮＮＮＮ）＋装置番号（Ａｎｎ）＋ユニット番号（９９）＋ＳＹＳ番号（９９）＋ＩＦ番号（９９）＋ＩＦ種別（ＬＦ）
さらに、自装置の位置情報ＩＩは、次のように構成される。
設置個所（ＹＡ）＋装置種別（ＮＮＮＮ）＋装置番号（Ｂｎ１）＋ユニット番号（９９）＋ＳＹＳ番号（９９）＋ＩＦ番号（９９）＋ＩＦ種別（ＨＦ）
【００５０】
【発明の効果】
以上図面に従い、説明したように、本発明により、ネットワーク構成データベースシステムに登録する物理的な伝送装置間の接続情報を収集し、登録するために、ディジタル伝送装置に以下に示す機能を付加する。これにより、ネットワーク構成データベースシステムの簡易化及び、ネットワーク構成データの自動登録を実現する。
【００５１】
これにより、ネットワーク構成データベースを構築する上で最も重要で、変動の激しい伝送装置間の接続情報を、オンラインで、リアルタイムに収集、登録が可能である。
【００５２】
したがって、従来は、人手によって、登録作業が行われていた場合に比べ、誤りデータの混入を防止できる。また、伝送装置で、接続状態の検証が行われており、処理装置側に登録データの検証機能が必要でなくなる。また、人手によるデータの登録には、データを登録するまでの準備期間が必要であり、検証作業が必要であるが、本発明の機能により、設計作業、検証作業が不要となる。
【図面の簡単な説明】
【図１】伝送装置１の装置情報を利用する本発明に従う実施の形態例を示す図である。
【図２】伝送装置１の実施例構成を示す。
【図３】送信情報の編集について説明する図である。
【図４】送信／受信部位情報記憶領域に記録保存されるフォーマットを説明する図である。
【図５】送信部位情報と装置情報の読み出しを説明するための図１における設置個所ＸＡとＹＡの関係を説明する図である。
【図６】一般的なネットワーク構成を示す図である。
【図７】デジタル伝送装置としての多重／分離装置の構成例を示す図である。
【図８】デジタル伝送装置としての回線編集装置を示す図である。
【図９】デジタル伝送装置の装置間接続信号の構成例を示す図である。
【図１０】装置の構成を識別する、設置個所内の配置例を説明する図である。
【図１１】一の装置番号の付けられた装置の構成例を説明する図である。
【図１２】伝送装置１と、制御用付加装置２及び処理装置３との接続関係を説明する図である。
【符号の説明】
１  伝送装置
２  付加装置
３  処理装置
４  収集装置
Ｌ  伝送路
１０  外部インタフェース
１１  内部設定機能部
１２  装置情報記憶部
１２０  設置個所記憶領域
１２１  送信部位情報記憶領域
１２２  受信部位情報記憶領域
１２３  送信／受信部位情報記憶領域
１２４  送信部位情報記憶領域
１２５  情報切替部
１３  送信部
１３０  停止選択部
１４  受信部
【図１】
0003618244.tif 000002
【図２】
0003618244.tif 000003
【図３】
0003618244.tif 000004
【図４】
0003618244.tif 000005
【図５】
0003618244.tif 000006
【図６】
0003618244.tif 000007
【図７】
0003618244.tif 000008
【図８】
0003618244.tif 000009
【図９】
0003618244.tif 000010
【図１０】
0003618244.tif 000011
【図１１】
0003618244.tif 000012
【図１２】
0003618244.tif 000013